(57)【特許請求の範囲】
【請求項１】
リ−ル本体にスプ−ル軸を有するスプ−ルを回転自在に支持し、リ−ル本体に保持した磁性体と前記スプ−ル回転に連動して回転する導電体とを対向配置してスプ−ル回転に制動力を付与するバックラッシュ防止装置を有する魚釣用両軸受型リ−ルにおいて、前記スプ−ル軸を支持する保持枠を着磁可能な材料で形成して前記導電体と対向する部位を着磁してスプ−ル回転に制動力を付与することを特徴とする魚釣用両軸受型リ
【発明の詳細な説明】
【０００１】
【発明の属する技術分野】
この発明は、磁力によるバックラッシュ防止装置を備えた魚釣用両軸受型リ−ルの改良に関する。
【０００２】
【従来の技術】
従来、魚釣用両軸受型リ−ルにおけるスプ−ル回転に連動して回転する非磁性導電体に、渦電流を発生させて、スプ−ルの回転に制動力を付与するマグネツト式バックラッシュ防止装置は例えば、実開昭５８−１０７７８３号公報等にて開示されているように従来から公知であり、前記公報の構成は外周に歯形が形成された磁極環体に大きい合成樹脂環体が固定されると共に、大小の合成樹脂環体の外側及び内側に継鉄が嵌合固定されて合成樹脂環体に夫々等間隔にスリ割り溝が形成されて磁石が挿入され、磁石はその磁力で継鉄に吸着されている。
前記公報では磁石の一方の磁極に識別マ−クが施されて磁石の取り付け作業を容易にしている。
しかし、磁石は重く、部品点数が多くなると共に組み込み作業性が悪い等の課題が残されている。
【０００３】
【発明が解決しようとする課題】
解決しようとする問題点は、スリ割り溝に磁石を挿入しなければならず、磁石は重く、部品点数が多くなると共に組み込み作業性が悪いことである。
【０００４】
本発明の目的は前記欠点に鑑み、部品点数の削減及び接着工程の廃止による組立工数の合理化と、精度と磁力ＵＰと軽量化が可能な魚釣用両軸受型リ−ルを提供することである。
【０００５】
【課題を解決するための手段】
上記課題を解決するために、
請求項１に係わる本発明は、リ−ル本体にスプ−ル軸を有するスプ−ルを回転自在に支持し、リ−ル本体に保持した磁性体と前記スプ−ル回転に連動して回転する導電体とを対向配置してスプ−ル回転に制動力を付与するバックラッシュ防止装置を有する魚釣用両軸受型リ−ルにおいて、前記スプ−ル軸を支持する保持枠を着磁可能な材料で形成して前記導電体と対向する部位を着磁してスプ−ル回転に制動力を付与することを要旨とするものである。
【０００８】
【発明の実施の形態】
請求項１の本発明により、保持枠３、３′、３″が着磁可能な磁性粉末を混入した樹脂で形成されると、磁石の配置や部品点数の削減及び接着工程の廃止による組立工数の合理化が図れるのと同時に、コストダウンが可能となる。
磁極を大きく形成することが可能となるので、大幅な磁力ＵＰが可能となる。
【００１１】
【実施例】
以下、図示の実施例によって本発明を説明すると、図１から図７は参考例で、図１は魚釣用両軸受型リ−ルの要部断面平面図、図２は魚釣用両軸受型リ−ルの反ハンドル側の拡大要部断面平面図、図３は反ハンドル側の側枠内側の側面図、図４は調節体の側面図、図５は保持体の側面図、図６は反ハンドル側の側枠外側の要部断面側面図、図７は反ハンドル側の側面図である。
【００１２】
リ−ル本体Ａは側枠１と側枠１の左右両側枠１ａ、１ｂに取り付けられた左側側板２と右側側板１０で構成されている。
側枠１の左右両側枠１ａ、１ｂは図示しない複数本の支柱で一体的に、かつ左右両側枠１ａ、１ｂが平行に保持されている。
側枠１ａには大径の透孔１ｃが穿設されて保持枠３が複数本のビス１１で取り付けられている。
【００１３】
保持枠３は、大径の有底筒部３ａと、有底筒部３ａ外周の複数の孔明き突起３ｂと、突起３ｂの前側の大径部３ｃと、大径部３ｃの前側のスプ−ルカバ−３ｄと、有底筒部３ａの内側の大径の内周部３ｅと、有底筒部３ａの底面３ｆと、底面３ｆに穿設された２本の円弧状長孔３ｇ、３ｈと、内側の段部３ｉと、底面３ｆ内側の軸受支持筒３ｊと、円弧状長孔３ｇ側の切欠部３ｋとで形成されている。
大径部３ｃは側枠１ａの大径の透孔１ｃに嵌合されて孔明き突起３ｂの孔にビス１１が挿通されている。
【００１４】
両側枠１ａ、１ｂ間にはスプ−ル１２が回転可能に支持され、スプ−ル１２が固定されたスプ−ル軸４は保持枠３の軸受支持筒３ｊ内に取り付けられた一方のラジアル軸受１３と右側側板１０に固定された図示しない他方のラジアル軸受で回転可能に軸承されている。
左右両側枠１ａ、１ｂ間のスプ−ル１２より釣糸繰出し方向側に釣糸案内装置Ｂが設けられている。
【００１５】
スプ−ル軸４はスプ−ル１２が固定される太径部４ａと、軸受１３に軸承される小径部４ｂと、側枠１ｂから右側側板１０内に突出される太径部４ａの他側の小径部４ｃとで形成されている。
小径部４ｂは軸受１３に軸承されると共に軸端部はワッシャ１４に当接されている。
小径部４ｃ外周にはピニオン１５が移動自在に嵌合されている。
ピニオン１５にはハンドル軸１６に摩擦結合された駆動歯車１７が噛合されている。
スプ−ル１２は図示しないクラッチ機構とピニオン１５と駆動歯車１７を介してハンドル軸１６に取り付けられたハンドル１８で回転される。
【００１６】
スプ−ル軸４と保持枠３にバックラッシュ防止装置Ｃが設けられている。
バックラッシュ防止装置Ｃは、スプ−ル軸４及びスプ−ル12と一体回転する導電体と、保持枠３内に設けられた導電体の内側の磁性体と外側の磁性体で構成され、参考例では導電体はスプ−ル軸４の太径部4aの一側軸受13側外周に固定された筒状の導電体19とし、内側の磁性体は保持枠３の軸受支持筒3jの外周に継鉄リング20を挟んで固定された非磁性材の保持体５に設けられた希土類磁石21とし、外側の磁性体は保持枠３の段部3iに回動自在に載せられて着磁された調節体６としている。
【００１７】
保持体５は非磁性材で筒状に形成されて複数の軸方向の長孔５ａと連接した丸孔５ｂが形成されている。
丸孔５ｂには希土類磁石２１が挿入されて保持体５の内側の継鉄リング２０に磁気吸着固定されている。
磁石２１はＮ極とＳ極の異極が交互に周方向に並ぶように組み込まれている。
【００１８】
調節体６は着磁可能な磁性粉末を混入した樹脂、例えばポリフェニレンサルファイト樹脂、エポキシ樹脂、ナイロン樹脂等で筒部６ａと、筒部６ａ一側外周に周方向の一部に径方向外方に膨出した調整用作用部６ｂと、調整用作用部６ｂ外周に形成された歯部６ｃと、筒部６ａ一側の抜け止め軸部６ｄ、６ｄとで一体に形成されている。
筒部６ａには周方向にＮ極とＳ極の異極が交互に着磁されている。
図面では着磁された部位に小さな点々が付されている。
調節体６は保持枠３の大径の有底筒部３ａ内に挿入されて段部３ｉに回動自在に載せられると共に、抜け止め軸部６ｄ、６ｄは夫々円弧状長孔３ｇ、３ｈに挿入されて抜け止め軸部６ｄの周溝にＥリング２２が取り付けられている。
保持枠３の切欠部３ｋには調節体６の調整用作用部６ｂの歯部６ｃが臨まされている。
保持枠３の内側底面３ｆには調整用作用部６ｂの回動範囲を規制する度当りピン２３、２４が植設されている。
【００１９】
左側側板２には大径の凹部２ａと、凹部２ａの中心の凸部２ｂと、凸部２ｂ中心の透孔２ｃと、凹部２ａの周囲の壁に形成された透孔２ｄとが形成されている。
左側側板２の凹部２ａの中には磁気制動調節ツマミ７が挿入されている。
【００２０】
磁気制動調節ツマミ７は、凹字状の操作部７ａと、軸部７ｂと、軸部７ｂ外周に形成された歯部７ｃと、操作部７ａ外周に形成されたクリック歯部７ｄとで形成されている。
磁気制動調節ツマミ７の軸部７ｂは左側側板２の透孔２ｃに挿入されてワッシャ２５とＥリング２６で抜け止めされ、操作部７ａの外周は凹部２ａと凸部２ｂの間に挿入されている。
歯部７ｃは保持枠３の切欠部３ｋの中に挿入されて調節体６の調整用作用部６ｂの歯部６ｃに噛合されている。
左側側板２の内側には突起２ｅが形成されてクリック板バネ２７の一端が固定され、クリック板バネ２７の他端は透孔２ｄに挿入されてクリック歯部７ｄに係合されている。
【００２１】
前記のように調節体６は着磁可能な磁性粉末を混入した樹脂で筒部６ａと周方向の一部に径方向外方に膨出した調整用作用部６ｂと歯部６ｃを一体に形成して筒部６ａに周方向にＳ極とＮ極の異極が交互になるように着磁され、等間隔に磁極が配置されると共に、調整用作用部６ｂと磁極の配置関係を容易に設定して着磁されている。
【００２２】
バックラッシュ防止装置Ｃは、保持体５の磁石２１のＮ極とＳ極に対して調節体６の筒部６ａに着磁したＳ極とＮ極が夫々異極が対向するように、保持体５と調節体６は筒状の導電体１９の内側と外側に配置されている。
バックラッシュ防止装置Ｃの作用は、ハンドル１８が回転されると、ハンドル軸１６と駆動歯車１７とピニオン１５を介してスプ−ル軸４とスプ−ル１２と筒状の導電体１９が回転され、保持体５の磁石２１と着磁された調節体６の筒部６ａの磁極でスプ−ル１２の回転に制動が掛けられる。
制動力が調節される時は、磁気制動調節ツマミ７の操作部７ａが回動されて磁石２１の磁極と調節体６の筒部６ａの着磁された磁極が異極または同極となるように調節される。
【００２３】
前記のように魚釣用両軸受型リ−ルが構成されると、調節体６は等間隔に磁極の配置が出来ると共に、調整用作用部６ｂと磁極の配置関係を容易に設定して着磁することができ、磁石の配置や部品点数の削減及び接着工程の廃止による組立工数の合理化が図れるのと同時に、コストダウンが可能となる。
着磁する調節体６の筒部６ａと調整用作用部６ｂを一体成形のため、製品の精度のバラツキが小さくなる。
磁極を大きく形成することが可能となるので、大幅な磁力ＵＰが可能となる。調節体６を着磁可能な磁性粉末を混入した樹脂で一体成形すると大幅な軽量化が可能となる。
【００２４】
図８から図11は第１実施例で、図８は魚釣用両軸受型リ−ルの反ハンドル側の拡大要部断面平面図、図９は反ハンドル側の側枠内側の側面図、図10は調節体の側面図、図11は保持枠の側面図である。
【００２５】
第１実施例でバックラッシュ防止装置Ｃは、スプ−ル軸４及びスプ−ル12と一体回転する導電体と、保持枠３内に設けられた導電体の内側の磁性体と外側の磁性体で構成され、導電体はスプ−ル軸４の太径部4aの一側軸受13側外周に固定された筒状の導電体19とし、内側の磁性体は保持枠３の軸受支持筒3jが着磁されて着磁部αとし、外側の磁性体は保持枠３の段部3iに回動自在に載せられた非磁性材の調節体８に設けられた希土類磁石21としている。
保持枠３は着磁可能な磁性粉末を混入した樹脂、例えばポリフェニレンサルファイト樹脂、エポキシ樹脂、ナイロン樹脂等で軸受支持筒3jが肉厚に形成されている以外は前記参考例と略同形で、軸受支持筒3jに周方向にＳ極とＮ極の異極が交互になるように着磁されている。
【００２６】
調節体８の形状は前記参考例の調節体６と略同形で、筒部8aと、筒部8a一側外周に周方向の一部に径方向外方に膨出した調整用作用部8bと、調整用作用部8b外周に形成された歯部8cと、筒部8a一側の抜け止め軸部8d、8dとで一体に形成され、筒部8aに軸方向の長孔8eと連接した丸孔8fが形成されて丸孔8fに希土類磁石21が挿入されると共に筒部8a外周に添接固定された継鉄リング28に磁気吸着固定されている。
他の構成は前記参考例と略同一である。
【００２７】
第１実施例で保持枠３が着磁可能な磁性粉末を混入した樹脂で形成されると、磁石の配置や部品点数の削減及び接着工程の廃止による組立工数の合理化が図れるのと同時に、コストダウンが可能となる。
磁極を大きく形成することが可能となるので、大幅な磁力ＵＰが可能となる。
保持枠３を着磁可能な磁性粉末を混入した樹脂で一体成形して軸受支持筒3jを着磁すると大幅な軽量化が可能となる。
【００２８】
図12、図13は第２実施例で、図12は魚釣用両軸受型リ−ルの反ハンドル側の拡大要部断面平面図、図13は反ハンドル側の側枠内側の側面図である。
【００２９】
第２実施例でバックラッシュ防止装置Ｃは、スプ−ル軸４及びスプ−ル12と一体回転する導電体と、保持枠３内に設けられた導電体の内側の磁性体と外側の磁性体で構成され、導電体はスプ−ル軸４の太径部4aの一側軸受13側外周に固定された筒状の導電体19とし、内側の磁性体は保持枠３の軸受支持筒3jが着磁されて着磁部αとし、外側の磁性体は保持枠３の段部3iに回動自在に載せられて着磁された調節体６としている。
保持枠３の形状は前記第１実施例と略同形である。
調節体６の形状は前記参考例と略同形である。
他の構成は前記参考例と略同一である。
【００３０】
図14から図19は第３実施例で、図14は魚釣用両軸受型リ−ルの反ハンドル側の拡大要部断面平面図、図15は反ハンドル側の側枠内側の側面図、図16は保持枠の側面図、図17は調節体の側面図、図18は反ハンドル側の側枠外側の要部断面側面図、図19は反ハンドル側の側面図である。
【００３１】
第３実施例でバックラッシュ防止装置Ｃは、スプ−ル軸４及びスプ−ル12と一体回転する導電体と、保持枠３′内に設けられた導電体の内側の磁性体と外側の磁性体で構成され、導電体はスプ−ル軸４の太径部4aの一側軸受13側外周に固定された筒状の導電体19とし、内側の磁性体は保持枠３′の大径の透孔3mに回動自在に嵌合されて着磁された調節体９とし、外側の磁性体は保持枠３′の筒部3nが着磁されて着磁部βとしている。
【００３２】
保持枠３′は着磁可能な磁性粉末を混入した樹脂、例えばポリフェニレンサルファイト樹脂、エポキシ樹脂、ナイロン樹脂等で、大径の有底筒部３ａと、有底筒部３ａ外周の複数の孔明き突起３ｂと、突起３ｂの前側の大径部３ｃと、大径部３ｃの前側のスプ−ルカバ−３ｄと、有底筒部３ａの内側の大径の内周部３ｅと、有底筒部３ａの底面に穿設された大径の透孔３ｍと、内側の筒部３ｎとで形成されている。
大径部３ｃは側枠１ａの大径の透孔１ｃに嵌合されて孔明き突起３ｂの孔にビス１１が挿通されている。
【００３３】
左側側板２の内側に軸受支持筒２ｆが形成され、軸受支持筒２ｆ内に軸受１３とスラスト軸受１４が挿着されて延長された太径部４ａの一側小径部４ｂが軸受１３に軸承されると共に軸端部はワッシャ１４に当接されている。
調節体９は着磁可能な磁性粉末を混入した樹脂、例えばポリフェニレンサルファイト樹脂、エポキシ樹脂、ナイロン樹脂等で筒部９ａと、筒部９ａ一側に径方向外方に膨出した調整用作用部９ｂと、調整用作用部９ｂ外周に形成された全周歯部９ｃと、筒部９ａ一側に径方向内方に膨出した鍔部９ｄと透孔９ｅとで一体に形成されている。
筒部９ａには周方向にＮ極とＳ極の異極が交互に着磁されている。
筒部９ａの外周には小さな凹部９ｆが形成されて抜け止めリング２９が嵌合される。
【００３４】
保持枠３′の筒部3nには周方向にＮ極とＳ極の異極が交互に着磁されている。
保持枠３′の大径の有底筒部3aの外周にクリック板バネ30の一端が固定され、クリック板バネ30の他端は歯部9cに係合されている。
磁気制動調節ツマミ７の歯部7cは歯部9cに噛合されている。
他の構成は前記参考例と略同一である。
【００３５】
図20から図25は第４実施例で、図20は魚釣用両軸受型リ−ルの反ハンドル側の拡大要部断面平面図、図21は反ハンドル側の側枠内側の側面図、図22は調節体の側面図、図23は保持枠の側面図、図24は反ハンドル側の側枠外側の要部断面側面図、図25は反ハンドル側の側面図である。
【００３６】
第４実施例でバックラッシュ防止装置Ｃは、スプ−ル軸４及びスプ−ル12と一体回転する導電体と、保持枠３″内に設けられた導電体の内側の磁性体と外側の磁性体で構成され、導電体はスプ−ル軸４の太径部4aの一側軸受13側外周に固定された筒状の導電体19とし、内側の磁性体は保持枠３″の軸受支持筒3jが着磁されて着磁部αとし、外側の磁性体は保持枠３″の凹部3oに回動自在に嵌合されて着磁された調節体６′としている。
【００３７】
保持枠３″は着磁可能な磁性粉末を混入した樹脂、例えばポリフェニレンサルファイト樹脂、エポキシ樹脂、ナイロン樹脂等で、大径の有底筒部３ａと、有底筒部３ａ外周の複数の孔明き突起３ｂと、突起３ｂの前側の大径部３ｃと、大径部３ｃの前側のスプ−ルカバ−３ｄと、有底筒部３ａの内側の大径の内周部３ｅと、有底筒部３ａの底面３ｆと、底面３ｆに穿設された２本の円弧状長孔３ｐ、３ｑと、円弧状長孔３ｑ位置の凹部３ｏと、内側の段部３ｉと、底面３ｆ内側の軸受支持筒３ｊとで形成されている。
大径部３ｃは側枠１ａの大径の透孔１ｃに嵌合されて孔明き突起３ｂの孔にビス１１が挿通されている。
【００３８】
調節体６′は着磁可能な磁性粉末を混入した樹脂、例えばポリフェニレンサルファイト樹脂、エポキシ樹脂、ナイロン樹脂等で筒部６ａと、筒部６ａ一側外周に周方向の一部に径方向外方に膨出した調整用作用部６ｂと、調整用作用部６ｂの側面に形成された抜け止めピンを兼ねたカムピン６ｅと、筒部６ａ一側の抜け止め軸部６ｄとで一体に形成されている。
筒部６ａには周方向にＮ極とＳ極の異極が交互に着磁されている。
調節体６′は保持枠３″の大径の有底筒部３ａ内に挿入されて段部３ｉに回動自在に載せられると共に凹部３ｏに回動自在に挿入され、抜け止め軸部６ｄと抜け止めピンを兼ねたカムピン６ｅは夫々円弧状長孔３ｐ、３ｑに挿入されて抜け止め軸部６ｄと抜け止めピンを兼ねたカムピン６ｅの周溝にＥリング２２が取り付けられている。
【００３９】
磁気制動調節ツマミ７の軸部7bに回り止め軸部7eが突出形成されている。
回り止め軸部7eにはレバ−31の一端が固定されている。
レバ−31の他側には長孔31a が形成されて長孔31a に抜け止めピンを兼ねたカムピン6eが挿入されている。
他の構成は前記参考例と略同一である。
【００４０】
前記説明では、導電体はスプ−ル軸４の太径部４ａの一側軸受１３側外周に固定された筒状の導電体１９としたが、円盤状の導電体としてもよい。
前記説明では、導電体をスプ−ル軸４に固定したが、スプ−ル１２の側面に固定してもよい。
前記説明では、環状の磁性体の筒部内周または外周に磁極が着磁するように述べたが、円盤状の導電体に対応するために、環状の磁性体の筒部端面に磁極が着磁されるようにしてもよい。
更に円盤状の導電体に対して軸方向に磁性体を移動するように構成してもよい。
【００４１】
【発明の効果】
本発明は、以上説明したような形態で実施され、以下に記載されるような効果を奏する。
【００４２】
請求項１により、保持枠が着磁可能な磁性粉末を混入した樹脂で形成されると、磁石の配置や部品点数の削減及び接着工程の廃止による組立工数の合理化が図れるのと同時に、コストダウンが可能となる。
磁極を大きく形成することが可能となるので、大幅な磁力ＵＰが可能となる。
【図面の簡単な説明】
【図１】参考例で、魚釣用両軸受型リ−ルの要部断面平面図である。
【図２】同魚釣用両軸受型リ−ルの反ハンドル側の拡大要部断面平面図である。
【図３】同反ハンドル側の側枠内側の側面図である。
【図４】同調節体の側面図である。
【図５】同保持体の側面図である。
【図６】同反ハンドル側の側枠外側の要部断面側面図である。
【図７】同反ハンドル側の側面図である。
【図８】第１実施例で、魚釣用両軸受型リ−ルの反ハンドル側の拡大要部断面平面図である。
【図９】同反ハンドル側の側枠内側の側面図である。
【図10】同調節体の側面図である。
【図11】同保持枠の側面図である。
【図12】第２実施例で、魚釣用両軸受型リ−ルの反ハンドル側の拡大要部断面平面図である。
【図13】同反ハンドル側の側枠内側の側面図である。
【図14】第３実施例で、魚釣用両軸受型リ−ルの反ハンドル側の拡大要部断面平面図である。
【図15】同反ハンドル側の側枠内側の側面図である。
【図16】同保持枠の側面図である。
【図17】同調節体の側面図である。
【図18】同反ハンドル側の側枠外側の要部断面側面図である。
【図19】同反ハンドル側の側面図である。
【図20】第４実施例で、魚釣用両軸受型リ−ルの反ハンドル側の拡大要部断面平面図である。
【図21】同反ハンドル側の側枠内側の側面図である。
【図22】同調節体の側面図である。
【図23】同保持枠の側面図である。
【図24】同反ハンドル側の側枠外側の要部断面側面図である。
【図25】同反ハンドル側の側面図である。
【符号の説明】
Ａ  リ−ル本体
Ｃ  バックラッシュ防止装置
α、β  導電体と対向する着磁した部位（着磁部）
６、６′、９  調節体
6b、9b  調整用作用部
12  スプ−ル
【図１】
0003576385.tif 000002
【図２】
0003576385.tif 000003
【図３】
0003576385.tif 000004
【図４】
0003576385.tif 000005
【図５】
0003576385.tif 000006
【図６】
0003576385.tif 000007
【図７】
0003576385.tif 000008
【図８】
0003576385.tif 000009
【図９】
0003576385.tif 000010
【図１０】
0003576385.tif 000011
【図１１】
0003576385.tif 000012
【図１２】
0003576385.tif 000013
【図１３】
0003576385.tif 000014
【図１４】
0003576385.tif 000015
【図１５】
0003576385.tif 000016
【図１６】
0003576385.tif 000017
【図１７】
0003576385.tif 000018
【図１８】
0003576385.tif 000019
【図１９】
0003576385.tif 000020
【図２０】
0003576385.tif 000021
【図２１】
0003576385.tif 000022
【図２２】
0003576385.tif 000023
【図２３】
0003576385.tif 000024
【図２４】
0003576385.tif 000025
【図２５】
0003576385.tif 000026